(57)【特許請求の範囲】
【請求項１】
スピーカシステムであって、
第１のスピーカ構成内で第１のオーディオを再生するように作動可能な電子デバイス内の１又は２以上の回路、
を含み、
前記１又は２以上の回路は、
前記電子デバイスの予め定められた範囲内で第１の音響再生デバイスを検出し、
前記検出に基づいて前記第１のオーディオを前記第１の音響再生デバイスに通信し、
前記通信された第１のオーディオを前記第１の音響再生デバイスにおいて再生するように前記第１のスピーカ構成を第２のスピーカ構成に修正し、
前記第２のスピーカ構成において第１のオーディオ較正を実行するための第１の較正設定を前記第１の音響再生デバイスに通信し、
前記電子デバイスに対する前記第１の音響再生デバイスの位置の変化を検出し、
前記位置の変化を検出したことに応じて、前記第２のスピーカ構成において第２のオーディオ較正を実行するための第２のオーディオ較正設定を前記第１の音響再生デバイスに通信する、
ように構成される、
ことを特徴とするスピーカシステム。
【請求項２】
前記電子デバイスは、中央スピーカ、サウンドバー、及び／又は中央制御デバイスのうちの１つに対応し、
前記第１の音響再生デバイスは、サイドスピーカ、デジタルスピーカ、ラウドスピーカ、及び／又は携帯型音響再生デバイスのうちの１つに対応する、
ことを特徴とする請求項１に記載のスピーカシステム。
【請求項３】
前記第１のスピーカ構成は、第１のマルチチャネルオーディオシステム構成に対応し、前記第２のスピーカ構成は、第２のマルチチャネルオーディオシステム構成に対応することを特徴とする請求項１に記載のスピーカシステム。
【請求項４】
前記第１の音響再生デバイスの前記位置の変化は、第１の部屋空間内の前記電子デバイスに対する該第１の音響再生デバイスの移動に対応することを特徴とする請求項１に記載のスピーカシステム。
【請求項５】
前記１又は２以上の回路は、無線通信プロトコルを通じて前記第１の音響再生デバイスに該第１の音響再生デバイスが前記電子デバイスの前記予め定められた範囲内で検出されたときに接続するように更に構成されることを特徴とする請求項１に記載のスピーカシステム。
【請求項６】
前記１又は２以上の回路は、無線通信プロトコルを通じて第２の音響再生デバイスに該第２の音響再生デバイスが前記電子デバイスの前記予め定められた範囲内で検出されたときに接続するように更に構成されることを特徴とする請求項１に記載のスピーカシステム。
【請求項７】
前記１又は２以上の回路は、前記第１のオーディオを前記第１の音響再生デバイス及び前記第２の音響再生デバイスに同時に通信するように更に構成され、
前記第２のスピーカ構成は、前記通信された第１のオーディオを前記第１の音響再生デバイス及び前記第２の音響再生デバイスにおいて再生するように第３のスピーカ構成に修正される、
ことを特徴とする請求項６に記載のスピーカシステム。
【請求項８】
前記１又は２以上の回路は、前記第１のオーディオを前記第１の音響再生デバイスに通信し、かつ第２のオーディオを前記第２の音響再生デバイスに通信するように更に構成され、
前記第２のスピーカ構成は、前記通信された第１のオーディオを前記第１の音響再生デバイスにおいて、かつ前記第２のオーディオを前記第２の音響再生デバイスにおいて再生するように第３のスピーカ構成に修正される、
ことを特徴とする請求項６に記載のスピーカシステム。
【請求項９】
前記１又は２以上の回路は、前記第１の音響再生デバイスが前記電子デバイスから切断されたときに前記第１のスピーカ構成への自動再構成を実行するように更に構成されることを特徴とする請求項１に記載のスピーカシステム。
【請求項１０】
前記１又は２以上の回路は、前記第１の音響再生デバイスを無線で再充電するように構成され、
前記第１の音響再生デバイスは、再充電可能な電力バンクを含む、
ことを特徴とする請求項１に記載のスピーカシステム。
【請求項１１】
スピーカシステムの自動構成のための方法であって、
電子デバイスにより、第１のスピーカ構成で第１のオーディオを再生する段階と、
前記電子デバイスにより、該電子デバイスの予め定められた範囲内で第１の音響再生デバイスを検出する段階と、
前記電子デバイスにより、前記検出に基づいて前記第１のオーディオを前記第１の音響再生デバイスに通信する段階と、
前記電子デバイスにより、前記通信された第１のオーディオを前記第１の音響再生デバイスにおいて再生するように前記第１のスピーカ構成を第２のスピーカ構成に修正する段階と、
前記第２のスピーカ構成において第１のオーディオ較正を実行するための第１の較正設定を前記第１の音響再生デバイスに通信し、
前記電子デバイスに対する前記第１の音響再生デバイスの位置の変化を検出し、
前記位置の変化を検出したことに応じて、前記第２のスピーカ構成において第２のオーディオ較正を実行するための第２のオーディオ較正設定を前記第１の音響再生デバイスに通信する、
を含むことを特徴とする方法。
【請求項１２】
前記電子デバイスにより、無線通信プロトコルを通じて前記第１の音響再生デバイスに該第１の音響再生デバイスが該電子デバイスの前記予め定められた範囲内で検出されたときに接続する段階を更に含むことを特徴とする請求項１１に記載の方法。
【請求項１３】
前記電子デバイスにより、無線通信プロトコルを通じて第２の音響再生デバイスに該第２の音響再生デバイスが該電子デバイスの前記予め定められた範囲内で検出されたときに接続する段階を更に含むことを特徴とする請求項１１に記載の方法。
【請求項１４】
前記電子デバイスにより、前記第１のオーディオを前記第１の音響再生デバイス及び前記第２の音響再生デバイスに通信する段階を更に含み、
前記第２のスピーカ構成は、前記通信された第１のオーディオを前記第１の音響再生デバイス及び前記第２の音響再生デバイスにおいて再生するように第３のスピーカ構成に修正される、
ことを特徴とする請求項１３に記載の方法。
【請求項１５】
前記電子デバイスにより、前記第１の音響再生デバイスが該電子デバイスから切断されたときに前記第１のスピーカ構成への自動再構成を実行する段階を更に含むことを特徴とする請求項１１に記載の方法。
【発明の詳細な説明】
【技術分野】
【０００１】
〔関連出願への相互参照／引用による組み込み〕
なし。
【０００２】
本発明の開示の様々な実施形態は、スピーカシステムに関する。より具体的には、本発明の開示の様々な実施形態は、自動構成可能スピーカシステムに関する。
【背景技術】
【０００３】
マルチチャネルオーディオ技術の進歩と共に、近年、スピーカシステムの様々な構成が一般的になってきた。現在、スピーカシステムは、２．１、５．１、又は７．１スピーカ構成のような様々な製造業者指定構成で、又は別々の携帯型スピーカデバイスとして提供されている。ユーザは、スピーカシステムが購入された状態で、スピーカシステムの製造業者指定の構成を変更するのに限定されたオプションを有するか又はオプションがない場合がある。例えば、ユーザは、事前指定構成を有するスピーカシステムを購入する場合がある。事前指定構成でのスピーカシステムは、携帯型スピーカ及び中央スピーカシステムを含む場合がある。ある一定のシナリオでは、ユーザは、設定することが困難な場合がある中央スピーカシステムとは独立して携帯型スピーカが作動することを望む場合がある。ある一定の他のシナリオでは、ユーザは、スピーカシステムの製造業者指定構成をマルチルームスピーカシステムに変換することを望む場合がある。しかし、そのような構成は、未熟なユーザにとって設定することが困難であろう。その結果、最新の自動構成可能かつ多目的スピーカシステムが必要であると考えられる。
【発明の概要】
【発明が解決しようとする課題】
【０００４】
慣例的かつ従来的手法の更に別の制限及び欠点は、上述のシステムを本出願の残り部分にかつ図面を参照して示す本発明の開示の一部の態様と比較することにより、当業者には明らかになるであろう。
【課題を解決するための手段】
【０００５】
特許請求の範囲により完全に示すように実質的に図面の少なくとも１つに示し、及び／又はそれに関連して説明するようなスピーカシステム及びスピーカシステムを自動構成する方法を提供する。
【０００６】
本発明の開示のこれら及び他の特徴及び利点は、全体を通して同様の参照番号が同様の部分を示す添付図面と共に本発明の開示の以下の詳細説明を精査することから認めることができる。
【図面の簡単な説明】
【０００７】
【図１】本発明の開示の実施形態による例示的ネットワーク環境を示すブロック図である。
【図２】本発明の開示の実施形態による例示的電子デバイスを示すブロック図である。
【図３】本発明の開示の実施形態による例示的音響再生デバイスを示すブロック図である。
【図４Ａ】本発明の開示の実施形態による開示のスピーカシステムの実施のための第１の例示的シナリオを図４Ｂと合せて集合的に示す図である。
【図４Ｂ】本発明の開示の実施形態による開示のスピーカシステムの実施のための第１の例示的シナリオを図４Ａと合せて集合的に示す図である。
【図５Ａ】本発明の開示の実施形態による開示のスピーカシステムの実施のための第２の例示的シナリオを図５Ｂ及び５Ｃと合せて集合的に示す図である。
【図５Ｂ】本発明の開示の実施形態による開示のスピーカシステムの実施のための第２の例示的シナリオを図５Ａ及び５Ｃと合せて集合的に示す図である。
【図５Ｃ】本発明の開示の実施形態による開示のスピーカシステムの実施のための第２の例示的シナリオを図５Ａ及び５Ｂと合せて集合的に示す図である。
【図６Ａ】本発明の開示の実施形態によるスピーカシステムの自動構成のための例示的方法の実施のための流れ図である。
【図６Ｂ】本発明の開示の実施形態によるスピーカシステムの自動構成のための例示的方法の実施のための流れ図である。
【図６Ｃ】本発明の開示の実施形態によるスピーカシステムの自動構成のための例示的方法の実施のための流れ図である。
【発明を実施するための形態】
【０００８】
以下に説明する実施は、開示のスピーカシステム及びスピーカシステムを自動構成する方法に見出すことができる。本発明の開示の例示的態様は、第１のスピーカ構成で第１のオーディオを再生することができる電子デバイスを含むことができる。第１の音響再生デバイスは、この電子デバイスの予め定められた範囲内で検出することができる。この検出に基づいて、電子デバイスは、第１のオーディオを第１の音響再生デバイスに通信することができる。第１のスピーカ構成を第２のスピーカ構成に修正して、通信された第１のオーディオを第１の音響再生デバイスにおいて再生することができる。
【０００９】
実施形態により、電子デバイスは、中央スピーカ、サウンドバー、及び／又は中央制御デバイスに対応することができる。第１の音響再生デバイスは、サイドスピーカ、デジタルスピーカ、ラウドスピーカ、及び／又は携帯型音響再生デバイスに対応することができる。第１のスピーカ構成は、第１のマルチチャネルオーディオシステム構成に対応することができる。第２のスピーカ構成は、第２のマルチチャネルオーディオシステム構成に対応することができる。
【００１０】
実施形態により、電子デバイスは、第２のスピーカ構成で第１のオーディオ較正を実行することができる。この第１のオーディオ較正は、第１の音響再生デバイスの現在位置に基づいて実行することができる。第１のオーディオ較正のための第１の較正設定値は、第１の音響再生デバイスに通信することができる。
【００１１】
実施形態により、電子デバイスは、第２のスピーカ構成で第２のオーディオ較正を実行することができる。この第２のオーディオ較正は、第１の音響再生デバイスが新しい位置に移動した時に実行することができる。第２のオーディオ較正のための第２の較正設定値は、第１の音響再生デバイスに通信することができる。
【００１２】
実施形態により、第１の音響再生デバイスの移動は、第１の部屋空間内での電子デバイスに対する第１の音響再生デバイスの位置の変化に対応することができる。実施形態により、第１の音響再生デバイスの移動はまた、第１の部屋空間から第２の部屋空間への第１の音響再生デバイスの位置の変化に対応することができる。第１の音響再生デバイス及び電子デバイスは、第２のオーディオ較正に基づいて統合マルチチャネルオーディオシステムとして機能することができる。
【００１３】
実施形態により、第１の音響再生デバイスが、電子デバイスの予め定められた範囲内で検出された時に、この電子デバイスは、第１の音響再生デバイスに接続することができる。そのような接続は、無線通信プロトコルを通じて確立することができる。実施形態により、第２の音響再生デバイスは、電子デバイスの予め定められた範囲内で検出される場合がある。そのような場合に、電子デバイスは、無線通信プロトコルを通じて第２の音響再生デバイスに接続することができる。
【００１４】
実施形態により、電子デバイスは、第１のオーディオを第１の音響再生デバイス及び第２の音響再生デバイスに同時に通信することができる。第２のスピーカ構成を第３のスピーカ構成に修正して、通信された第１のオーディオは、第１の音響再生デバイス及び第２の音響再生デバイスにおいて再生することができる。
【００１５】
実施形態により、電子デバイスは、第１のオーディオを第１の音響再生デバイスに通信し、第２のオーディオを第２の音響再生デバイスに通信することができる。第２のスピーカ構成は、第３のスピーカ構成に修正することができる。この修正は、通信された第１のオーディオを第１の音響再生デバイスにおいて再生し、第２のオーディオを第２の音響再生デバイスにおいて再生するために行うことができる。
【００１６】
実施形態により、第１の音響再生デバイスが電子デバイスから切断された時に、第１のスピーカ構成への自動再構成を実行することができる。電子デバイスは、第１の音響再生デバイスを無線で再充電することができる。第１の音響再生デバイスは、再充電可能な電力バンクを含むことができる。
【００１７】
図１は、本発明の開示の実施形態による例示的ネットワーク環境を示すブロック図である。図１を参照すると、ネットワーク環境１００が示されている。ネットワーク環境１００は、電子デバイス１０２と、第１の音響再生デバイス１０４及び第２の音響再生デバイス１０６のような１又は２以上の音響再生デバイスとを含むことができる。更に、無線ネットワーク１０８、並びに第１のスピーカ構成１１０、第２のスピーカ構成１１２、及び第３のスピーカ構成１１４のような１又は２以上のスピーカ構成が示されている。実施形態により、電子デバイス１０２は、無線ネットワーク１０８経由で第１の音響再生デバイス１０４及び／又は第２の音響再生デバイス１０６と通信することができる。
【００１８】
電子デバイス１０２は、第１の音響再生デバイス１０４及び／又は第２の音響再生デバイス１０６を検出するように構成することができる適切な回路及び／又はインタフェースを含むことができる。実施形態により、電子デバイス１０２は、１又は２以上のスピーカドライバを含むことができる。電子デバイス１０２の例は、限定するものではないが、サウンドバー、中央スピーカ、中央制御デバイス、デジタルスピーカ、プラズマスピーカ、及び／又は無線スピーカを含むことができる。
【００１９】
第１の音響再生デバイス１０４及び第２の音響再生デバイス１０６のような１又は２以上の音響再生デバイスは、電子デバイス１０２からオーディオデータを受信するように構成することができる適切な回路及び／又はインタフェースを含むことができる。１又は２以上の音響再生デバイスは、デジタル信号又は電気信号を可聴音に変換するように構成することができる。第１の音響再生デバイス１０４及び第２の音響再生デバイス１０６の例は、限定するものではないが、携帯型音響再生デバイス、サイドスピーカ、ラウドスピーカ、サブウーファ、静電気スピーカ、平面磁気スピーカ、天井スピーカ、自立スピーカ、面装着型スピーカ、カラム型スピーカ、及び／又は携帯型無線スピーカを含むことができる。
【００２０】
無線ネットワーク１０８は、電子デバイス１０２が第１の音響再生デバイス１０４及び第２の音響再生デバイス１０６と通信することができる媒体を含むことができる。無線ネットワーク１０８の例は、限定するものではないが、無線フィディリティ（Ｗｉ−Ｆｉ）ネットワーク及び／又は無線ワイドエリアネットワーク（ＷＡＮ）を含むことができる。ネットワーク環境１００内の様々なデバイスは、様々な無線通信プロトコルに従って無線ネットワーク１０８に接続するように構成することができる。そのような無線通信プロトコルの例は、限定するものではないが、伝送制御プロトコル及びインターネットプロトコル（ＴＣＰ／ＩＰ）、ユーザデータグラムプロトコル（ＵＤＰ）、ハイパーテキスト転送プロトコル（ＨＴＴＰ）、ファイル転送プロトコル（ＦＴＰ）、ＺｉｇＢｅｅ、ＥＤＧＥ、ＩＥＥＥ  ８０２．１１、ライトフィディリティ（Ｌｉ−Ｆｉ）、８０２．１６、ＩＥＥＥ  ８０２．１１ｓ、ＩＥＥＥ  ８０２．１１ｇ、マルチホップ通信、無線アクセスポイント（ＡＰ）、デバイスツーデバイス通信、セルラー通信プロトコル、及び／又はＢｌｕｅｔｏｏｔ（ＢＴ）（登録商標）通信プロトコルを含むことができる。
【００２１】
第１のスピーカ構成１１０、第２のスピーカ構成１１２、及び第３のスピーカ構成１１４のような１又は２以上のスピーカ構成は、マルチチャネルオーディオシステム構成に対応することができる。このマルチチャネルオーディオシステム構成は、「（２＋ｎ）．１」スピーカ構成と呼ばれることがあり、ここで、「ｎ」は、整数である。例えば、１又は２以上のスピーカ構成は、２．１、３．１、４．１、５．１、６．１、及び７．１スピーカ構成などとすることができる。
【００２２】
作動中、電子デバイス１０２は、５．１スピーカ構成のような第１のスピーカ構成１１０で第１のオーディオを再生するように構成することができる。それにも関わらず、電子デバイス１０２は、本発明の開示の範囲を限定することなく、「（２＋ｎ）．１」スピーカ構成を有するスピーカシステムにも対応することができる。電子デバイス１０２は、この電子デバイス１０２の予め定められた範囲内で第１の音響再生デバイス１０４を検出するように構成することができる。この検出に基づいて、電子デバイス１０２は、第１の音響再生デバイス１０４に接続するように構成することができる。この接続は、無線ネットワーク１０８内でＷｉ−Ｆｉ通信プロトコルのような無線通信プロトコルを用いることによって予め定められた範囲内で確立することができる。
【００２３】
実施形態により、電子デバイス１０２は、無線ネットワーク１０８経由で第１の音響再生デバイス１０４に第１のオーディオを通信するように構成することができる。電子デバイス１０２は、第１のスピーカ構成１１０を第２のスピーカ構成１１２に修正するように構成することができる。例えば、第１のスピーカ構成１１０が５．１スピーカ構成である時に、５．１スピーカ構成は、６．１スピーカ構成（「（２＋ｎ＋１）．１」スピーカ構成など）に修正することができる。
【００２４】
実施形態により、電子デバイス１０２は、第２のスピーカ構成１１２にある第１の音響再生デバイス１０４の位置を検出するように構成することができる。第１の音響再生デバイス１０４の検出された位置に基づいて、電子デバイス１０２は、第２のスピーカ構成１１２にある第１の音響再生デバイス１０４のための第１の較正設定値を発生させるように構成することができる。電子デバイス１０２は、発生された第１の較正設定値を第２のスピーカ構成１１２にある第１の音響再生デバイス１０４に通信するように構成することができる。
【００２５】
実施形態により、電子デバイス１０２は、第１の音響再生デバイス１０４の検出された位置に基づいて、第２のスピーカ構成１１２で第１のオーディオ較正を実行するように構成することができる。第１のオーディオ較正は、電子デバイス１０２及び／又は第１の音響再生デバイス１０４において実行することができる。
【００２６】
第１の音響再生デバイス１０４及び電子デバイス１０２は、第２のスピーカ構成１１２においてサラウンド音響マルチチャネルオーディオシステムのような統合マルチチャネルオーディオシステムとして機能することができる。実施形態により、第１の音響再生デバイス１０４は、再充電可能な電力バンクを含むことができる。電子デバイス１０２は、第２のスピーカ構成１１２にある第１の音響再生デバイスを無線で充電するように構成することができる。この無線充電は、当業技術で公知の誘導充電又は音波ベースの充電などに基づいて実行することができる。
【００２７】
実施形態により、第１の音響再生デバイス１０４は、電子デバイス１０２から切断することができる。そのような場合に、電子デバイス１０２は、第１のスピーカ構成１１０に戻して自動再構成を実行するように構成することができる。実施形態により、電子デバイス１０２は、この電子デバイス１０２の位置に対する第１の音響再生デバイス１０４の位置の変化を検出するように構成することができる。実施形態により、第１の音響再生デバイス１０４の位置の変化は、電子デバイス１０２の予め定められた範囲内で検出することができる。
【００２８】
実施形態により、電子デバイス１０２は、第２のスピーカ構成１１２にある第１の音響再生デバイス１０４に第２の較正設定値を通信するように構成することができる。この第２の較正設定値は、第１の音響再生デバイス１０４の位置の変化が検出された時に通信することができる。例えば、電子デバイス１０２及び第１の音響再生デバイス１０４の両方は、第１の部屋空間に存在することができる（同じ部屋）。第１の音響再生デバイス１０４は、この第１の部屋空間内の新しい位置に移動することができる。別の例では、第１の音響再生デバイス１０４は、第１の部屋空間から第２の部屋空間に移動することができる（異なる部屋など）。電子デバイス１０２は、同じか又は異なる部屋での電子デバイス１０２に対する第１の音響再生デバイス１０４の位置におけるそのような変化を検出及び差別化するように構成することができる。
【００２９】
実施形態により、電子デバイス１０２は、新しい位置への第１の音響再生デバイス１０４の移動に基づいて、第２のスピーカ構成１１２で第２のオーディオ較正を実行するように構成することができる。第１の音響再生デバイス１０４は、そのような移動の後、依然として、電子デバイス１０２と連係して統合マルチチャネルオーディオシステムとして機能することができる。
【００３０】
実施形態により、電子デバイス１０２は、この電子デバイス１０２の予め定められた範囲内で第２の音響再生デバイス１０６を検出するように構成することができる。例えば、ユーザは、無線ネットワーク１０８の範囲のような電子デバイス１０２の予め定められた範囲にあり得る第１の部屋空間に入ることができる。この検出に基づいて、電子デバイス１０２は、無線ネットワーク１０８内で無線通信プロトコル（Ｗｉ−Ｆｉなど）によって第２の音響再生デバイス１０６に接続することができる。
【００３１】
実施形態により、電子デバイス１０２は、第１のオーディオを第１の音響再生デバイス１０４及び第２の音響再生デバイス１０６に同時に通信するように構成することができる。この第１のオーディオは、電子デバイス１０２において再生されるのと同じオーディオとすることができる。電子デバイス１０２は、第２のスピーカ構成１１２を第３のスピーカ構成１１４に動的に修正するように構成することができる。第２のスピーカ構成１１２は、通信された第１のオーディオを第１の音響再生デバイス１０４及び第２の音響再生デバイス１０６において同時に再生するように修正することができる。例えば、電子デバイス１０２、第１の音響再生デバイス１０４、及び／又は第２の音響再生デバイス１０６において同じ音楽を再生することができる。
【００３２】
実施形態により、電子デバイス１０２はまた、第１の音響再生デバイス１０４に第１のオーディオを通信し、第２の音響再生デバイス１０６に第２のオーディオを通信するように構成することができる。第１の音響再生デバイス１０４は、電子デバイス１０２によって通信された第１のオーディオを再生することができる。第２の音響再生デバイス１０６は、電子デバイス１０２によって通信された第２のオーディオを再生することができる。７．１スピーカ構成のような第３のスピーカ構成１１４では、第２のオーディオは、第１のオーディオと異なるものとすることができる。例えば、電子デバイス１０２及び第１の音響再生デバイス１０４は、同じ音楽を再生することができる。その一方、第２の音響再生デバイス１０６は、電子デバイス１０２によって流されたのと異なる音楽を第３のスピーカ構成１１４で再生することができる。
【００３３】
図２は、本発明の開示の実施形態による例示的電子デバイスを示すブロック図である。図１からの要素と関連して図２について説明する。図２を参照すると、電子デバイス１０２が示されている。電子デバイス１０２は、プロセッサ２０２のような１又は２以上のプロセッサ、メモリ２０４、Ｉ／Ｏデバイス２０６、及び送受信機２０８を含むことができる。実施形態により、Ｉ／Ｏデバイス２０６は、マイクロフォン２１０を含むことができる。プロセッサ２０２は、メモリ２０４、Ｉ／Ｏデバイス２０６、及び送受信機２０８と通信可能に結合することができる。送受信機２０８は、プロセッサ２０２の制御下で第１の音響再生デバイス１０４及び／又は第２の音響再生デバイス１０６のような１又は２以上の音響再生デバイスと通信するように構成することができる。この通信は、無線ネットワーク１０８経由で行うことができる。
【００３４】
プロセッサ２０２は、メモリ２０４内に格納された命令セットを実行するように構成することができる適切な論理部、回路、インタフェース、及び／又はコードを含むことができる。プロセッサ２０２は、当業技術で公知のいくつかのプロセッサ技術に基づいて実施することができる。プロセッサ２０２の例は、Ｘ８６ベースのプロセッサ、縮小命令セットコンピュータ（ＲＩＳＣ）プロセッサ、特定用途向け集積回路（ＡＳＩＣ）プロセッサ、複合命令セットコンピュータ（ＣＩＳＣ）プロセッサ、マイクロプロセッサ、中央演算処理装置（ＣＰＵ）、及び／又は他のプロセッサ又は制御回路とすることができる。
【００３５】
メモリ２０４は、プロセッサ２０２によって実行可能な命令セットを格納するように構成することができる適切な論理部、回路、及び／又はインタフェースを含むことができる。メモリ２０４はまた、オペレーティングシステム及び関連アプリケーションを格納するように作動可能である場合がある。メモリ２０４の実施例は、限定するものではないが、ランダムアクセスメモリ（ＲＡＭ）、読取専用メモリ（ＲＯＭ）、電気的消去可能プログラマブル読取専用メモリ（ＥＥＰＲＯＭ）、ハードディスクドライブ（ＨＤＤ）、半導体ドライブ（ＳＳＤ）、ＣＰＵキャッシュ、及び／又はセキュアデジタル（ＳＤ）カードを含むことができる。
【００３６】
Ｉ／Ｏデバイス２０６は、ユーザ又は別の電子デバイスからの入力を受信するように構成することができる適切な論理部、回路、インタフェース、及び／又はコードを含むことができる。Ｉ／Ｏデバイス２０６はまた、出力をユーザに提供するように構成することができる。Ｉ／Ｏデバイス２０６は、様々な入力及び出力デバイスを含み、プロセッサ２０２と通信するように構成することができる。入力デバイスの例は、限定するものではないが、タッチスクリーン、キーボード、マウス、ジョイスティック、マイクロフォン２１０、カメラ、モーションセンサ、光センサ、近接性センサ、信号強度センサ、赤外線センサ、及び／又はドッキングピン又はドッキングステーションを含むことができる。出力デバイスの例は、限定するものではないが、ディスプレイスクリーン及び／又は１又は２以上のスピーカドライバを含むことができる。
【００３７】
送受信機２０８は、無線ネットワーク１０８経由で第１の音響再生デバイス１０４及び／又は第２の音響再生デバイス１０６のような１又は２以上の音響再生デバイスと通信するように構成することができる適切な論理部、回路、インタフェース、及び／又はコードを含むことができる。送受信機２０８は、無線ネットワーク１０８内での電子デバイス１０２の無線通信をサポートするための公知の技術を実施することができる。送受信機２０８は、限定するものではないが、アンテナ、無線周波数（ＲＦ）送受信機、１又は２以上の増幅器、チューナ、１又は２以上の発振器、デジタル信号プロセッサ、符号復号器（ＣＯＤＥＣ）チップセット、加入者識別モジュール（ＳＩＭ）カード、及び／又はローカルバッファを含むことができる。送受信機２０８は、インターネット、イントラネット、及び／又はセルラー電話ネットワーク及び／又は無線ローカルエリアネットワーク（ＷＬＡＮ）のような無線ネットワークのようなネットワークと無線通信によって通信することができる。この無線通信は、グローバル移動通信システム（ＧＳＭ）、拡張データＧＳＭ環境（ＥＤＧＥ）、広帯域符号分割多元接続（Ｗ−ＣＤＭＡ）、符号分割多元接続（ＣＤＭＡ）、時分割多元接続（ＴＤＭＡ）、「Ｂｌｕｅｔｏｏｔｈ（登録商標）」、無線・フィディリティ（Ｗｉ−Ｆｉ）（ＩＥＥＥ  ８０２．１１ａ、ＩＥＥＥ  ８０２．１１ｂ、ＩＥＥＥ  ８０２．１１ｇ、及び／又はＩＥＥＥ  ８０２．１１ｎなど）、ボイスオーバーインターネットプロトコル（ＶｏＩＰ）、Ｗｉ−ＭＡＸ、電子メールのためのプロトコル、インスタントメッセージ、及び／又はショートメッセージサービス（ＳＭＳ）のような複数の通信規格、プロトコル及び技術のうちのいずれかを用いることができる。
【００３８】
マイクロフォン２１０は、１又は２以上の音響再生デバイスから音声入力を受信するか又は音波を捕捉するように構成することができる適切な論理部、回路、インタフェース、及び／又はコードを含むことができる。プロセッサ２０２は、様々なオーディオ較正のためにマイクロフォン２１０、並びにＩ／Ｏデバイス２０６の近接性センサ及び信号強度センサのようないくつかのセンサを使用することができる。
【００３９】
作動中、プロセッサ２０２は、入力を受信して第１のスピーカ構成１１０で第１のオーディオを再生するように構成することができる。第１のオーディオは、メモリ２０４内に予め格納するか、又は複数の音源から抽出することができる。複数の音源は、テレビジョン（ＴＶ）、モバイル機器、マルチメディアプレーヤ、及び／又は電子デバイス１０２に通信可能に結合されたそのようなマルチメディアデバイスのような１又は２以上の他の電子デバイスとすることができる。
【００４０】
実施形態により、複数の音源は、ペンドライブ、携帯型ハードドライブ、及び／又は他のストレージデバイスのような１又は２以上の内部ストレージデバイス（メモリ２０４など）又は外部ストレージデバイスとすることができる。プロセッサ２０２は、複数の音源から第１のオーディオを受信して又はそれを抽出して、この第１のオーディオを第１のスピーカ構成１１０で再生するように構成することができる。複数の音源はまた、インターネットを通して利用可能な音楽ライブラリのようなオンラインオーディオコンテンツに対応することができる。プロセッサ２０２は、第１のオーディオを第１のスピーカ構成１１０で再生するように構成することができる。
【００４１】
実施形態により、プロセッサ２０２は、電子デバイス１０２の予め定められた範囲内で第１の音響再生デバイス１０４を検出するように構成することができる。この検出に基づいて、プロセッサ２０２は、第１の音響再生デバイス１０４に接続するように構成することができる。この接続は、無線ネットワーク１０８内でＷｉ−Ｆｉ通信プロトコルのような無線通信プロトコルを用いることによって予め定められた範囲内で確立することができる。
【００４２】
実施形態により、プロセッサ２０２は、無線ネットワーク１０８経由で第１の音響再生デバイス１０４に第１のオーディオを通信するように構成することができる。プロセッサ２０２は、第１のスピーカ構成１１０を第２のスピーカ構成１１２に修正するように構成することができる。実施形態により、プロセッサ２０２は、第１の音響再生デバイス１０４及び／又は第２の音響再生デバイス１０６の電子デバイス１０２に対する適切な位置決めを決定するように構成することができる。この適切な位置決めは、電子デバイス１０２と第１の音響再生デバイス１０４及び／又は第２の音響再生デバイス１０６との間の時間アラインメントに基づいて決定することができる。適切な位置決めはまた、部屋空間内の第１のオーディオの方向性に基づいて決定することができる。実施形態により、図１に記載の電子デバイス１０２によって実行される機能又は作動は、プロセッサ２０２によって実行することができる。プロセッサ２０２によって実行される他の作動は、図４Ａ、４Ｂ、５Ａ、５Ｂ、５Ｃ及び６での説明から理解することができる。
【００４３】
図３は、本発明の開示の実施形態による例示的音響再生デバイスを示すブロック図である。図１及び図２からの要素と関連して図３について説明する。図３を参照すると、第１の音響再生デバイス１０４が示されている。第１の音響再生デバイス１０４は、プロセッサ３０２のような１又は２以上のプロセッサ、メモリ３０４、Ｉ／Ｏデバイス３０６、及び送受信機３０８を含むことができる。実施形態により、Ｉ／Ｏデバイス３０６は、表示画面３１０を含むことができる。更に、この表示画面３１０上にレンダリングされるユーザインタフェース（ＵＩ）３１２が示されている。
【００４４】
実施形態により、プロセッサ３０２は、メモリ３０４、Ｉ／Ｏデバイス３０６、及び送受信機３０８と通信可能に結合することができる。送受信機３０８は、プロセッサ２０２の制御下で無線ネットワーク１０８経由で電子デバイス１０２と通信するように構成することができる。実施形態により、プロセッサ３０２、メモリ３０４、Ｉ／Ｏデバイス３０６、及び送受信機３０８の実施例は、それぞれ、プロセッサ２０２、メモリ２０４、Ｉ／Ｏデバイス２０６、及び送受信機２０８の実施例（図２）と同様とすることができる。
【００４５】
表示画面３１０は、ＵＩ３１２を表示するように構成することができる。表示画面３１０はまた、第１の音響再生デバイス１０４の１又は２以上の機能及び／又はアプリケーションをレンダリングするように構成することができる。表示画面３１０の例は、限定するものではないが、液晶ディスプレイ（ＬＣＤ）、発光ダイオード（ＬＥＤ）、エレクトロルミネセントディスプレイ（ＥＬＤ）、プラズマディスプレイパネル（ＰＤＰ）、有機発光ダイオードディスプレイ（ＯＬＥＤ）、電界発光ディスプレイ（ＦＥＤ）、薄膜トランジスタディスプレイ（ＴＦＴ）、及び／又は他のそのようなディスプレイを含むことができる。
【００４６】
ＵＩ３１２は、ユーザが第１の音響再生デバイス１０４の１又は２以上のアプリケーション及び／又はオペレーティングシステムと対話することを容易にすることができる視覚的インタフェースとすることができる。ＵＩ３１２は、メニューバー、ツールバー、ウィンドウ、ボタン、及び第１の音響再生デバイス１０４を作動させる他のそのようなコントローラのようなグラフィカルコントローラを含むことができるグラフィカルユーザインタフェース（ＧＵＩ）とすることができる。
【００４７】
作動中、プロセッサ３０２は、無線ネットワーク１０８内での電子デバイス１０２との通信的結合を確立するように構成することができる。プロセッサ３０２は、送受信機３０８を使用することにより、電子デバイス１０２から通信される第１のオーディオを受信するように構成することができる。プロセッサ３０２は、電子デバイス１０２と連係して統合マルチチャネルオーディオシステムとして作動するための１又は２以上の命令を電子デバイス１０２から受信するように構成することができる。言い換えると、第１の音響再生デバイス１０４は、電子デバイス１０２の第１のスピーカ構成１１０に追加され、統合マルチチャネルオーディオシステムとして機能することができる。
【００４８】
実施形態により、プロセッサ３０２は、電子デバイス１０２から第１の較正設定値を受信するように構成することができる。この第１の較正設定値を含むことができる１又は２以上の命令は、第１の音響再生デバイス１０４が電子デバイス１０２の予め定められた範囲内で移動する場合がある時に受信することができる。第１の較正設定値は、電子デバイス１０２によって検出された第１の音響再生デバイス１０４の現在位置に基づくことができる。第１のスピーカ構成１１０での第１の音響再生デバイス１０４の追加又は包含は、第２のスピーカ構成１１２のような修正されたスピーカ構成をもたらすことができる。次に、第１の音響再生デバイス１０４において、Ｉ／Ｏデバイス３０６を使用することにより、受信した第１のオーディオを再生することができる。
【００４９】
実施形態により、電子デバイス１０２及び第１の音響再生デバイス１０４は、第１の部屋空間のような同じ部屋に位置付けられて、統合マルチチャネルオーディオシステムとして機能することができる。ある一定のシナリオでは、ユーザは、第１の部屋空間内で第１の音響再生デバイス１０４を移動することができる。プロセッサ３０２は、送受信機３０８を使用することにより、電子デバイス１０２から第２の較正設定値を受信するように構成することができる。この第２の較正設定値は、第１の部屋空間内での電子デバイス１０２に対する第１の音響再生デバイス１０４の位置が変化した可能性がある時に受信することができる。第２のオーディオ較正設定値は、第２のスピーカ構成１１２での第２のオーディオ較正のために受信することができる。
【００５０】
ある一定の他のシナリオでは、ユーザは、第１の音響再生デバイス１０４を第１の部屋空間から第２の部屋空間に移動することができる。そのような場合に、プロセッサ３０２は、第１の音響再生デバイス１０４の変化した位置に従って第２の較正設定値を受信するように構成することができる。第１の音響再生デバイス１０４は、第２の部屋空間内で電子デバイス１０２と連係して統合マルチチャネルオーディオシステムとして機能することができる。第１の音響再生デバイス１０４は、第１のオーディオのような電子デバイス１０２によって再生されるのと同じオーディオを再生し続けることができる。第１の音響再生デバイス１０４は、受信した第２の較正設定値に従って第２の部屋空間内で第１のオーディオを再生することができる。このようにして、マルチルームスピーカシステムを提供することができる。
【００５１】
実施形態により、プロセッサ３０２は、第１のオーディオが電子デバイス１０２で再生されている間に電子デバイス１０２から第２のオーディオを受信するように構成することができる。この第２のオーディオは、送受信機３０８を使用することによって受信することができる。そのような場合に、第２のオーディオは、第１のオーディオが電子デバイス１０２で再生されている間に第１の音響再生デバイス１０４において再生することができる。このようにして、各スピーカに対して同じオーディオ（同じ音楽）又は異なるオーディオ（異なる音楽）を再生する機能のある第２のスピーカ構成１１２のような単一スピーカ構成でのマルチルームスピーカシステムを提供することができる。
【００５２】
実施形態により、プロセッサ３０２は、ＵＩ３１２を使用することによってユーザからの入力を受信するように構成することができる。ＵＩ３１２は、第１の音響再生デバイス１０４の表示画面３１０上にレンダリングすることができる。入力は、タッチスクリーンとすることができる表示画面３１０上のタッチベースの入力とすることができる。メモリ３０４は、音楽のようなオーディオコンテンツ及び関連するメタデータを格納するように構成することができる。プロセッサ３０２はまた、ＵＩ３１２を使用することにより、予め格納されたオーディオコンテンツを表示画面３１０上に表示することを制御するように構成することができる。ユーザは、表示画面３１０上のＵＩ３１２を通して表示されるオーディオコンテンツから１又は２以上のオーディオコンテンツ要素のうちの少なくとも１つを選択することができる。選択されたオーディオコンテンツは、第１の音響再生デバイス１０４において再生することができる。受信したユーザ入力に応答した選択されたオーディオコンテンツ要素の再生又は再現は、電子デバイス１０２とは独立したものとすることができる。従って、第１の音響再生デバイス１０４は、独立したユニットとして機能することができ、電子デバイス１０２との接続を解除することができる。実施形態により、第２の音響再生デバイス１０６は、第１の音響再生デバイス１０４と同様とすることができる。
【００５３】
図４Ａ及び４Ｂは、本発明の開示の実施形態による開示のスピーカシステムの実施のための第１の例示的シナリオを集合的に示している。図１、２、及び３からの要素と関連して図４Ａ及び４Ｂについて説明する。図４Ａを参照すると、中央制御デバイス４０２、第１のスピーカ４０４、５．１スピーカ構成４０６、６．１スピーカ構成４０８、及び第１のユーザ４１０が示されている。
【００５４】
第１の例示的シナリオによれば、中央制御デバイス４０２は、電子デバイス１０２に対応することができる。第１のスピーカ４０４は、第１の音響再生デバイス１０４に対応することができる。中央制御デバイス４０２は、この５．１スピーカ構成４０６にある自動構成可能スピーカシステムとすることができる。５．１スピーカ構成４０６は、第１のスピーカ構成１１０に対応することができる。中央制御デバイス４０２は、第１の位置に設置することができ、１００フィートのような予め定められた無線範囲を有することができる。この第１の位置は、パーティー会場とすることができ、従って、中央制御デバイス４０２は、パーティーモードで予め設定することができる。第１の音楽は、中央制御デバイス４０２において５．１スピーカ構成４０６で再生することができる。第１のユーザ４１０は、第１のスピーカ４０４を有する第１の位置に接近することができる。第１のスピーカ４０４は、第１のユーザ４１０の個人用デバイスとすることができる。作動中、中央制御デバイス４０２は、この中央制御デバイス４０２の予め定められた範囲内で第１のスピーカ４０４を検出する場合がある。この第１のスピーカ４０４の検出に基づいて、中央制御デバイス４０２は、第１のスピーカ４０４と接続することができる。この接続は、Ｗｉ−Ｆｉ通信プロトコルを用いることによって確立することができる。中央制御デバイス４０２は、第１のスピーカ４０４に第１の音楽（次に、中央制御デバイス４０２において再生される）を通信することができる。
【００５５】
実施形態により、中央制御デバイス４０２は、５．１スピーカ構成４０６を６．１スピーカ構成４０８に動的に修正し、中央制御デバイス４０２及び第１のスピーカ４０４において同時に第１の音楽を再生することができる。６．１スピーカ構成４０８は、第２のスピーカ構成１１２（図１）に対応することができる。
【００５６】
図４Ｂを参照すると、第２のスピーカ４１２、７．１スピーカ構成４１４、及び第２のユーザ４１６が更に示されている。中央制御デバイス４０２、第１のスピーカ４０４、及び第１のユーザ４１０も示されている。第２のスピーカ４１２は、第２の音響再生デバイス１０６に対応することができる。第２のユーザ４１６は、第２のスピーカ４１２を有するパーティー会場に到着する場合がある。
【００５７】
中央制御デバイス４０２は、この中央制御デバイス４０２の予め定められた範囲内で第２のスピーカ４１２を検出することができる。中央制御デバイス４０２と第２のスピーカ４１２の間の無線接続を確立することができる。中央制御デバイス４０２はまた、第１の音楽を第２のスピーカ４１２に通信することができる。中央制御デバイス４０２は、６．１スピーカ構成４０８を７．１スピーカ構成４１４に動的に修正することができる。７．１スピーカ構成４１４は、第３のスピーカ構成１１４（図１）に対応することができる。従って、中央制御デバイス４０２を５．１スピーカ構成４０６から６．１スピーカ構成４０８に自動構成し、次に、７．１スピーカ構成４１４に自動構成することが可能である。中央制御デバイス４０２、第１のスピーカ４０４、及び第２のスピーカ４１２のような全てのスピーカは、第１の音楽のような同じ音楽を７．１スピーカ構成４１４で再生することができる。第１のスピーカ４０４及び第２のスピーカ４１２は、これらのスピーカの中央制御デバイス４０２に対する現在位置に基づいて、中央制御デバイス４０２から較正設定値を受信することができる。
【００５８】
図５Ａ及び５Ｃは、本発明の開示の実施形態による開示のスピーカシステムの実施のための第２の例示的シナリオを集合的に示している。図１から３、図４Ａ、及び図４Ｂからの要素と関連して図５Ａから５Ｃについて説明する。図５Ａを参照すると、第１の部屋空間５１２内の中心部分５０２、第１のサイドスピーカ５０４ａ、第２のサイドスピーカ５０４ｂ、及びテレビジョン（ＴＶ）５０６が示されている。中心部分５０２、第１のサイドスピーカ５０４ａ、及び第２のサイドスピーカ５０４ｂは、図示のように、７．１スピーカ構成５０８にあるサウンドバースピーカシステムとして互いに接続することができる。更に、聴取者５１０のようなユーザが示されている。
【００５９】
第２の例示的シナリオによれば、中心部分５０２は、電子デバイス１０２に対応することができる。第１のサイドスピーカ５０４ａは、第１の音響再生デバイス１０４に対応することができる。第２のサイドスピーカ５０４ｂは、第２の音響再生デバイス１０６に対応することができる。中心部分５０２は、ＴＶ５０６と接続することができる。第１のサイドスピーカ５０４ａ及び第２のサイドスピーカ５０４ｂは、図示のように、中心部分５０２とドッキングされて、ホームシアターのための単一デバイス又は単一サウンドバースピーカシステムを形成することができる。
【００６０】
実施形態により、第１のサイドスピーカ５０４ａ及び第２のサイドスピーカ５０４ｂは、中心部分５０２と動的に接続されて、ホームシアターのための単一デバイス又は単一サウンドバースピーカシステムを形成することができる。この接続を確立し、７．１スピーカ構成５０８での統合された（１つの）フルサイズサウンドバースピーカシステムとして機能するように、第１のサイドスピーカ５０４ａ、第２のサイドスピーカ５０４ｂ、及び中心部分５０２を自動構成することができる。７．１スピーカ構成５０８における第１のサイドスピーカ５０４ａ、第２のサイドスピーカ５０４ｂ、及び中心部分５０２間の接続は、磁気接続、ピンを用いた物理的接続、無線ネットワーク１０８内の近接性検出ベースの接続とすることができる。それにも関わらず、第１のサイドスピーカ５０４ａ、第２のサイドスピーカ５０４ｂ、及び中心部分５０２間の接続の確立は、他の物理的、無線、又はＬｉ−Ｆｉのような可視光通信（ＶＬＣ）通信媒体を使用することによって行うことができることは理解されるものとする。第１のサイドスピーカ５０４ａ、第２のサイドスピーカ５０４ｂ、及び中心部分５０２のような３つのスピーカは、接続が確立された後、７．１スピーカ構成５０８を有する統合フルサイズサウンドバースピーカシステムに自動構成する必要がある場合があると決定することができる。
【００６１】
第１のサイドスピーカ５０４ａ及び第２のサイドスピーカ５０４ｂは、再充電可能バッテリを含むことができる。中心部分５０２は、第１のサイドスピーカ５０４ａ及び第２のサイドスピーカ５０４ｂがこの中心部分５０２とドッキングされている時に、第１のサイドスピーカ５０４ａ及び第２のサイドスピーカ５０４ｂの再充電可能バッテリを充電するように構成することができる。第１のサイドスピーカ５０４ａ及び第２のサイドスピーカ５０４ｂが中心部分５０２とドッキングされている時に、自動的にサラウンド音響モードを設定することができる。
【００６２】
中心部分５０２は、音源とすることができるＴＶ５０６に接続することができる。聴取者５１０は、第１の部屋空間５１２においてサラウンド音響モードで歌曲を聴取することを望む場合がある。ＴＶ５０６から受信した歌曲は、第１の部屋空間５１２において７．１スピーカ構成５０８で再生することができる。７．１スピーカ構成５０８は、第３のスピーカ構成１１４に対応することができる。実施形態により、中心部分５０２、第１のサイドスピーカ５０４ａ、及び第２のサイドスピーカ５０４ｂのような３つの要素は、全てが独立しているが、依然として、他の様々な構成で協働することができる。
【００６３】
図５Ｂを参照すると、第１の部屋空間５１２内の７．１スピーカ構成５０８での独立したデバイスとしての中心部分５０２、第１のサイドスピーカ５０４ａ、及び第２のサイドスピーカ５０４ｂが示されている。中心部分５０２は、ＴＶ５０６の下に設置することができる。第１のサイドスピーカ５０４ａ及び第２のサイドスピーカ５０４ｂのような取外し可能なスピーカは、聴取者５１０の後方に移動されて、サラウンド音響モードでの高められたサラウンド音響効果を提供することができる。
【００６４】
実施形態により、中心部分５０２は、この中心部分５０２の予め定められた範囲内で第１のサイドスピーカ５０４ａ及び第２のサイドスピーカ５０４ｂを検出することができる。中心部分５０２は、無線ネットワーク１０８内でＷｉ−Ｆｉ通信プロトコルを用いることによって第１のサイドスピーカ５０４ａ及び第２のサイドスピーカ５０４ｂに接続することができる。中心部分５０２は、次に、第１の部屋空間５１２内の第１のサイドスピーカ５０４ａの位置に基づいて、第１のサイドスピーカ５０４ａに較正設定値を通信することができる。中心部分５０２は、次に、第１の部屋空間５１２内の第２のサイドスピーカ５０４ｂの位置に基づいて、第２のサイドスピーカ５０４ｂに別の較正設定値を通信することができる。
【００６５】
実施形態により、第１のサイドスピーカ５０４ａ及び第２のサイドスピーカ５０４ｂは、第１の部屋空間５１２内のこれらのスピーカの新しい位置に対して自動的に構成することができる。この自動構成は、中心部分５０２から受信した較正設定値に基づくことができる。受信した較正設定値は、第１の部屋空間５１２内のスピーカの新しい位置に最適な設定値とすることができる。中心部分５０２は、７．１スピーカ構成５０８内で第１のオーディオ較正を実行することができる。ここで、第１の較正は、第１のサイドスピーカ５０４ａ及び第２のサイドスピーカ５０４ｂの位置に基づくことができる。第１のサイドスピーカ５０４ａ、第２のサイドスピーカ５０４ｂ、及び中心部分は、７．１スピーカ構成５０８のような統合マルチチャネルオーディオシステムとして機能することができる。
【００６６】
実施形態により、中心部分５０２は、ＴＶ５０６から受信した歌曲を７．１スピーカ構成５０８内で第１のサイドスピーカ５０４ａ及び第２のサイドスピーカ５０４ｂに通信することができる。ＴＶ５０６から受信した歌曲は、中心部分５０２の制御下で第１の部屋空間５１２内の７．１スピーカ構成５０８にある全てのスピーカによって再生することができる。
【００６７】
図５Ｃを参照すると、第１の部屋空間５１２、第２の部屋空間５１４、及び第３の部屋空間５１６が示されている。更に、中心部分５０２、第１のサイドスピーカ５０４ａ、第２のサイドスピーカ５０４ｂ、ＴＶ５０６、及び聴取者５１０が示されている。第１のサイドスピーカ５０４ａは、ＵＩ５２０をレンダリングすることができるディスプレイ５１８を含むことができる。ディスプレイ５１８は、表示画面３１０（図３）に対応することができる。ＵＩ５２０は、ＵＩ３１２（図３）に対応することができる。聴取者５１０は、住居の屋外テラスのような第２の部屋空間５１４に第１のサイドスピーカ５０４ａを移動することができる。第２のサイドスピーカ５０４ｂは、住居の台所のような第３の部屋空間５１６に移動することができる。
【００６８】
実施形態により、中心部分５０２は、７．１スピーカ構成５０８にある第１の部屋空間５１２内の第１のサイドスピーカ５０４ａ及び第２のサイドスピーカ５０４ｂの不在を検出することができる。中心部分５０２はまた、第１の部屋空間５１２から第２の部屋空間５１４への第１のサイドスピーカ５０４ａの位置の変化を検出することができる。同様に、中心部分５０２は、第１の部屋空間５１２から第３の部屋空間５１６への第２のサイドスピーカ５０４ｂの位置の変化も検出することができる。
【００６９】
実施形態により、中心部分５０２は、第１のサイドスピーカ５０４ａ及び第２のサイドスピーカ５０４ｂの各々に第２の較正設定値を通信することができる。この通信は、無線ネットワーク１０８（図１）内でＷｉ−Ｆｉ通信プロトコルを用いることによって行うことができる。中心部分５０２は、７．１スピーカ構成５０８内で第２のオーディオ較正を実行することができる。図５Ｃに説明するスピーカ構成は、７．１スピーカ構成５０８内で住居のためのマルチルーム音響を提供する。中心部分５０２、第１のサイドスピーカ５０４ａ、及び第２のサイドスピーカ５０４ｂのような全てのスピーカは、同じ音楽を７．１スピーカ構成５０８内で再生することを可能にすることができる。
【００７０】
実施形態により、第１のサイドスピーカ５０４ａは、中心部分５０２から切断することができる。中心部分５０２は、第２のサイドスピーカ５０４ｂとの自動再構成を実行することができる。中心部分５０２は、第２のサイドスピーカ５０４ｂとの６．１スピーカ構成（図示せず）に自動再構成することができる。そのような実施形態において、第２の部屋空間５１４内の第１のサイドスピーカ５０４ａは、独立したスピーカユニットとして機能するように構成することができる。第１のサイドスピーカ５０４ａは、ＵＩ５２０を通して１又は２以上の歌曲から構成されるリストをディスプレイ５１８上に表示することができる。聴取者５１０は、第１のサイドスピーカ５０４ａで再生される歌曲をＵＩ５２０から選択することができる。１又は２以上の歌曲から構成されるリストの表示は、第１のサイドスピーカ５０４ａに予め格納されたオーディオ及び／又はビデオ品目に基づくことができる。１又は２以上の歌曲から構成されるリストの表示はまた、図３に説明されているように、第１のサイドスピーカ５０４ａに接続した他の音源に基づくことができる。
【００７１】
実施形態により、第２のサイドスピーカ５０４ｂも中心部分５０２から切断することができる。そのようなシナリオでは、中心部分５０２は、５．１スピーカ構成として作動するように自動再構成することができる。従って、開示の自動構成可能システムは、図５Ａに示されているような７．１スピーカ構成５０８内で改良されたサウンドバースピーカシステムとすることができる。従って、ユーザは、同じスピーカシステムを使用することによって様々なスピーカ構成を可能にする７．１スピーカ構成５０８でのサウンドバースピーカシステムのような１つの改良されたスピーカシステムを購入することができる。
【００７２】
図６は、本発明の開示の実施形態によるスピーカシステムを自動構成するための例示的方法の実施のための流れ図である。図６を参照すると、流れ図６００が示されている。図１、２、３、４Ａ、４Ｂ、及び５Ａから５Ｃからの要素と関連して流れ図６００について説明する。本方法は、段階６０２から開始され、段階６０４に進む。
【００７３】
段階６０４において、第１のスピーカ構成１１０にある電子デバイス１０２は、第１のオーディオを再生することができる。電子デバイス１０２の例は、中央制御デバイス４０２（図４Ａ及び４Ｂ）及び中心部分５０２（図５Ａから５Ｃ）とすることができる。段階６０６において、第１の音響再生デバイス１０４が電子デバイス１０２の予め定められた範囲に存在するか否かを検出することができる。第１の音響再生デバイス１０４の例は、第１のスピーカ４０４（図４Ａ及び４Ｂ）又は第１のサイドスピーカ５０４ａ（図５Ａから５Ｃ）とすることができる。第１の音響再生デバイス１０４が電子デバイス１０２の予め定められた範囲内で検出された時に、制御は、段階６０８に移ることができる。第１の音響再生デバイス１０４が電子デバイス１０２の予め定められた範囲内で検出されない時に、制御は、段階６０４に戻ることができる。
【００７４】
段階６０８において、無線通信プロトコルを通じて電子デバイス１０２と第１の音響再生デバイス１０４の間の接続を確立することができる。第１の音響再生デバイス１０４との電子デバイス１０２の接続は、第１の音響再生デバイス１０４の検出に基づくことができる。段階６１０において、電子デバイス１０２は、第１のオーディオを第１の音響再生デバイス１０４に通信することができる。第１の音響再生デバイス１０４への第１のオーディオの通信は、確立された接続に基づくことができる。
【００７５】
段階６１２において、電子デバイス１０２は、第１のスピーカ構成１１０を第２のスピーカ構成１１２に修正することができる。第１のスピーカ構成１１０を修正して、第１の音響再生デバイス１０４において第２のスピーカ構成１１２内で第１のオーディオを再生することができる。段階６１４において、電子デバイス１０２は、第１の音響再生デバイス１０４の現在位置を検出することができる。この現在位置は、例えば、第１の部屋空間５１２内での電子デバイス１０２に対する第１の音響再生デバイス１０４の位置とすることができる。
【００７６】
段階６１６において、電子デバイス１０２は、第１のオーディオ較正のための第１の較正設定値を第１の音響再生デバイス１０４に通信することができる。段階６１８において、電子デバイス１０２は、第２のスピーカ構成１１２内で第１のオーディオ較正を実行することができる。第１のオーディオ較正は、第１の音響再生デバイス１０４の現在位置に基づくことができる。
【００７７】
段階６２０において、電子デバイス１０２は、第１の音響再生デバイス１０４を無線で再充電することができる。第１の音響再生デバイス１０４は、再充電可能な電力バンクを含むことができる。段階６２２において、第１の音響再生デバイス１０４が、第２のスピーカ構成１１２にある電子デバイス１０２から切断されたか否かを決定することができる。電子デバイス１０２からの第１の音響再生デバイス１０４の切断は、電子デバイス１０２の予め定められた範囲を超えた第１の音響再生デバイス１０４の移動、又はユーザ入力に基づくことができる。第１の音響再生デバイス１０４が電子デバイス１０２から切断された時に、制御は、段階６２４に移ることができる。第１の音響再生デバイス１０４が電子デバイス１０２から切断されていない時に、制御は、段階６２６に移ることができる。
【００７８】
段階６２４において、電子デバイス１０２は、第１のスピーカ構成１１０への自動再構成を実行することができる。制御は、終了段階６４６（図６Ｃ）に移る。段階６２６において、電子デバイス１０２に対する第１の音響再生デバイス１０４の位置の変化が存在するか否かを決定することができる。電子デバイス１０２に対する第１の音響再生デバイス１０４の位置の変化が存在する時に、制御は、段階６２８に移る。電子デバイス１０２に対する第１の音響再生デバイス１０４の位置の変化が存在しない時に、制御は、段階６３２に移ることができる。
【００７９】
段階６２８において、電子デバイス１０２は、第２のオーディオ較正のための第２の較正設定値を第１の音響再生デバイス１０４に通信することができる。段階６３０において、第２のスピーカ構成１１２内で第２のオーディオ較正を実行することができる。第２のオーディオ較正は、同じ部屋空間（第１の部屋空間５１２など）又は第２の部屋空間（第２の部屋空間５１４など）内での電子デバイスに対する第１の音響再生デバイス１０４の新しい位置に基づくことができる。
【００８０】
段階６３２において、第２の音響再生デバイス１０６が、電子デバイス１０２の予め定められた範囲に存在するか否かを決定することができる。第２の音響再生デバイス１０６が、電子デバイス１０２の予め定められた範囲内で検出された時に、制御は、段階６３４に移ることができる。第２の音響再生デバイス１０６の例は、第２のスピーカ４１２（図４Ａ及び４Ｂ）又は第２のサイドスピーカ５０４ｂ（図５Ａから５Ｃ）とすることができる。第２の音響再生デバイス１０６が、電子デバイス１０２の予め定められた範囲内で検出されない時に、制御は、終了段階６４６に移るか又は段階６２０に戻り、第２のスピーカ構成１１２内で作動し続けることができる。
【００８１】
段階６３４において、無線通信プロトコルを通じて電子デバイス１０２と第２の音響再生デバイス１０６の間の接続を確立することができる。この接続は、電子デバイス１０２の予め定められた範囲内での第２の音響再生デバイス１０６の検出に基づいて行うことができる。実施形態により、第２の音響再生デバイス１０６の検出は、流れ図６００の段階の順番に関係なく、第２の音響再生デバイス１０６が検出されると及び検出される時に行うことができる。段階６３６において、電子デバイス１０２は、第２のスピーカ構成１１２を第３のスピーカ構成１１４に修正することができる。制御は、予め定められた設定又はユーザ入力に基づいて段階６３８又は段階６４２に移ることができる。
【００８２】
段階６３８において、電子デバイス１０２は、第１のオーディオを第１の音響再生デバイス１０４及び第２の音響再生デバイス１０６に同時に通信することができる。段階６４０において、第１の音響再生デバイス１０４及び／又は第２の音響再生デバイス１０６において第１のオーディオを再生することができる。次に、制御は、終了段階６４６に移ることができる。
【００８３】
段階６４２において、第１のオーディオは、第１の音響再生デバイス１０４に通信することができ、更に、第２のオーディオは、第２の音響再生デバイス１０６に通信することができる。段階６４４において、第１のオーディオは、第１の音響再生デバイス１０４で再生することができ、第２のオーディオは、第２の音響再生デバイス１０６で再生することができる。制御は、終了段階６４６に移ることができる。
【００８４】
本発明の開示の実施形態によるスピーカシステムを開示する。このスピーカシステムは、１又は２以上の回路（以下、プロセッサ２０２（図２）と呼ばれる）を含むことができる電子デバイス１０２（図１）を含むことができる。プロセッサ２０２は、第１のスピーカ構成１１０内で第１のオーディオを再生するように構成することができる。プロセッサ２０２はまた、電子デバイス１０２の予め定められた範囲内で第１の音響再生デバイス１０４を検出するように構成することができる。プロセッサ２０２はまた、この検出に基づいて第１のオーディオを第１の音響再生デバイス１０４に通信するように構成することができる。プロセッサ２０２はまた、第１のスピーカ構成１１０を第２のスピーカ構成１１２に修正して、通信された第１のオーディオを第１の音響再生デバイス１０４において再生するように構成することができる。
【００８５】
本発明の開示の様々な実施形態は、スピーカシステムを自動構成するようにマシン及び／又はコンピュータによって実行可能な命令セットが格納された非一時的コンピュータ可読媒体及び／又はストレージ媒体を提供することができる。この命令セットは、マシン及び／又はコンピュータをして電子デバイス１０２による第１のスピーカ構成１１０内での第１のオーディオの再生を含む各段階を実行させることができる。第１の音響再生デバイス１０４は、電子デバイス１０２の予め定められた範囲内で検出することができる。この検出に基づいて、第１のオーディオは、第１の音響再生デバイス１０４に通信することができる。第１のスピーカ構成１１０を第２のスピーカ構成１１２に修正して、通信された第１のオーディオを第１の音響再生デバイス１０４において再生することができる。
【００８６】
本発明の開示は、ハードウエア又はハードウエアとソフトウエアの組合せで実現することができる。本発明の開示は、集中型様式で、少なくとも１つのコンピュータシステムで、又は分散型様式で実現することができ、異なる要素は、いくつかの相互接続コンピュータシステムに散在させることができる。本明細書に説明する方法を実行するようになったコンピュータシステム又は他の装置が適切であると考えられる。ハードウエアとソフトウエアの組合せは、コンピュータプログラムを有する汎用コンピュータシステムとすることができ、このコンピュータプログラムは、ロードされて実行された時に、コンピュータシステムが本明細書に説明する方法を実行するようにコンピュータシステムを制御することができる。本発明の開示は、他の機能も実行する集積回路の一部分を含むハードウエアで実現することができる。
【００８７】
本発明の開示はまた、本明細書に説明した方法の実施を可能にする特徴を全て含み、コンピュータシステムにロードされた時にこれらの方法を実施することができるコンピュータプログラム製品に具現化することができる。コンピュータプログラムは、本発明の関連において、情報処理機能を有するシステムをして特定の機能を直接に又はａ）別の言語、コード、又は表記への変換、ｂ）異なる材料形態での復元のいずれか又は両方が行われた後に実行させるように意図された命令セットのあらゆる言語、コード、又は符号におけるあらゆる表現を意味する。
【００８８】
ある一定の実施形態を参照して本発明の開示を説明したが、当業者は、本発明の開示の範囲から逸脱することなく様々な変更を行うことができ、かつ均等物で置換することができることを理解するであろう。これに加えて、本発明の開示の範囲から逸脱することなく特定の状况又は材料を本発明の開示の教示に適応させるための多くの修正を行うことができる。従って、本発明の開示は、開示した特定の実施形態に限定されず、むしろ本発明の開示は、特許請求の範囲に該当する全ての実施形態を含むことになることが意図されている。
【符号の説明】
【００８９】
１００  ネットワーク環境
１０２  電子デバイス
１０４  第１の音響再生デバイス
１１０  第１のスピーカ構成
１１２  第２のスピーカ構成
【図１】
0006447843.tif 000002
【図２】
0006447843.tif 000003
【図３】
0006447843.tif 000004
【図４Ａ】
0006447843.tif 000005
【図４Ｂ】
0006447843.tif 000006
【図５Ａ】
0006447843.tif 000007
【図５Ｂ】
0006447843.tif 000008
【図５Ｃ】
0006447843.tif 000009
【図６Ａ】
0006447843.tif 000010
【図６Ｂ】
0006447843.tif 000011
【図６Ｃ】
0006447843.tif 000012